(57)【要約】【課題】無線基地局装置が設置された場所の環境（キャリア数やユーザ数）に応じて最適な無線リソース割当てアルゴリズムを選択することを可能とする。【解決手段】無線基地局装置が設置された時に設置状況環境（キャリア数やユーザ数）を測定し、その環境に応じて無線リソース割当てアルゴリズムを選択する機能を提案する。このようにすることで無線リソース割当てアルゴリズムを単純化することができるため処理能力を向上させることができるとともに、不具合の発生頻度を軽減することが可能となる。また、サービス追加等によって将来の環境が変化した場合においても状況に応じた単純なアルゴリズムを選択対象として追加することで対応することが可能となるため適応力も高い。【選択図】図１
2008118521.tif 000002
【特許請求の範囲】
【請求項１】
端末との無線通信を行うためのベースバンド機能を有する複数の送受信処理カードと、
設置状況の環境を測定し、前記環境に応じたアルゴリズムを選択し、前記選択されたアルゴリズムに従って前記複数の送受信処理カード内から１枚を選択してリソースを割り当てる呼処理制御部と
を具備する
無線基地局装置。
【請求項２】
請求項１に記載の無線基地局装置において、
前記呼処理制御部は、ユーザ数、キャリア数、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）呼の有無、チャネル種別、キャリアの偏りのうち、少なくとも１つを対象として前記環境を測定する
無線基地局装置。
【請求項３】
請求項１に記載の無線基地局装置において、
前記呼処理制御部は、前記選択されたアルゴリズムに従って、前記複数の送受信処理カードのうち第１の送受信処理カードにリソース割当てを行い、前記第１の送受信処理カードのリソースを使い切った時、前記複数の送受信処理カードのうち第２の送受信処理カードにリソース割当てを行う
無線基地局装置。
【請求項４】
請求項１に記載の無線基地局装置において、
前記呼処理制御部は、前記選択されたアルゴリズムに従って、キャリアの偏り具合によって、使用する送受信処理カードを予め固定し、前記複数の送受信処理カードの各々を特定のキャリア専用の送受信処理カードとする
無線基地局装置。
【請求項５】
請求項１に記載の無線基地局装置において、
前記呼処理制御部は、前記選択されたアルゴリズムに従って、前記複数の送受信処理カードのうち第１の送受信処理カードに１ユーザの割当てを行い、前記複数の送受信処理カードのうち第２の送受信処理カードに次のユーザの割当てを行う
無線基地局装置。
【請求項６】
（ａ１）無線基地局装置を設置した時、予め設定しておいた初期アルゴリズムにて動作を開始するステップと、
（ａ２）前記初期アルゴリズム動作後、前記無線基地局装置の設置状況の環境を測定するステップと、
（ａ３）前記環境を測定した結果に基づきアルゴリズムを選択するステップと、
（ａ４）前記無線基地局装置に割当て済のユーザ数が所定の閾値以下である場合、前記選択されたアルゴリズムを適用するステップと、
（ａ５）前記選択されたアルゴリズムに従って複数の送受信処理カード内から１枚を選択してリソースを割り当てるステップと
を具備する
無線リソース割り当て方法。
【請求項７】
請求項６に記載の無線リソース割り当て方法において、
前記（ａ２）ステップは、
（ａ２１）ユーザ数、キャリア数、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）呼の有無、チャネル種別、キャリアの偏りのうち、少なくとも１つを対象として前記環境を測定するステップを具備する
無線リソース割り当て方法。
【請求項８】
請求項６又は７に記載の無線リソース割り当て方法において、
前記（ａ３）ステップは、
（ａ３１）前記ユーザ数が少なく、前記キャリア数が多い場合は第１のアルゴリズムを選択するステップと、
（ａ３２）前記ユーザ数が多く、前記キャリア数も多い場合は第２のアルゴリズムを選択するステップと、
（ａ３３）前記ユーザ数、前記キャリア数ともに少ない場合は第３のアルゴリズムを選択するステップと、
（ａ３４）前記ユーザ数が多く、前記キャリア数が少ない場合は第４のアルゴリズムを選択するステップと
を具備する
無線リソース割り当て方法。
【請求項９】
請求項６乃至８のいずれか一項に記載の無線リソース割り当て方法において、
前記（ａ５）ステップは、
（ａ５１）前記選択されたアルゴリズムに従って、前記複数の送受信処理カードのうち第１の送受信処理カードにリソース割当てを行い、前記第１の送受信処理カードのリソースを使い切った時、前記複数の送受信処理カードのうち第２の送受信処理カードにリソース割当てを行うステップを具備する
無線リソース割り当て方法。
【請求項１０】
請求項６乃至８のいずれか一項に記載の無線リソース割り当て方法において、
前記（ａ５）ステップは、
（ａ５２）前記選択されたアルゴリズムに従って、キャリアの偏り具合によって、使用する送受信処理カードを予め固定し、前記複数の送受信処理カードの各々を特定のキャリア専用の送受信処理カードとするステップを具備する
無線リソース割り当て方法。
【請求項１１】
請求項６乃至８のいずれか一項に記載の無線リソース割り当て方法において、
前記（ａ５）ステップは、
（ａ５３）前記選択されたアルゴリズムに従って、前記複数の送受信処理カードのうち第１の送受信処理カードに１ユーザの割当てを行い、前記複数の送受信処理カードのうち第２の送受信処理カードに次のユーザの割当てを行うステップを具備する
無線リソース割り当て方法。
【請求項１２】
請求項６乃至１１のいずれか一項に記載の無線リソース割り当て方法を、コンピュータに実行させるためのプログラム。
【発明の詳細な説明】
【技術分野】
【０００１】
本発明は、無線基地局装置及び無線リソース割り当て方法に関し、特に環境測定を含む無線基地局装置及び無線リソース割り当て方法に関する。
【背景技術】
【０００２】
ＩＭＴ２０００方式（例えば、Ｗｉｄｅ−ｂａｎｄ  ＣＤＭＡ）その他の移動体通信システムは、周知のように複数の移動局と通信する無線基地局装置を含み構成されており、無線基地局装置は呼処理制御部（ＣＰ）とベースバンド機能を有する複数枚のベースバンド信号送受信処理カード（以下、ＣＨカードという）を備えている。無線基地局装置の呼処理制御部（ＣＰ）は、呼の設定／解放を実現するために、複数のＣＨカードに対してリソースの割り当て／リソースの解除といったリソース管理を行っている。
【０００３】
各ＣＨカードのリソース使用状況やリソース割り当ての管理は、全て呼処理制御部（ＣＰ）によって一元的に管理され、呼の設定／解放やカード障害等によるリソース再割り当て等の管理は全て呼処理制御部（ＣＰ）によって対応している。ＣＨカードは、呼処理制御部（ＣＰ）から指示を受け、該指示の通りにリソースの配置等を行うのみである。
【０００４】
近年、移動体通信システム利用者数の増大は著しく、今後も更なる増加が予測される。それに連れて、ＣＰの処理能力、無線容量不足が指摘され始め、２Ｇ帯のみならず新周波数をも適用可能としてきている。それに応じて無線基地局装置においても複数のキャリアを使用できるようにする動きにある。しかし、ＣＰの無線リソース管理は多キャリア化、多サービス化が進むに連れて管理の複雑さが増加し、全ての環境において最適となるような無線リソース割当てアルゴリズムを実現することが困難となってきている。たとえ実現した場合であっても、非常に複雑なアルゴリズムとなるため不具合も発生しやすくなる。また、処理が複雑となるため処理能力も低下する。今後ますます、多種多様なサービスが追加されていくことになり、そのたびに新たなアルゴリズムを導入する必要が生じる。
【０００５】
リソースの割当てアルゴリズムに関しては、特開平９−３３１５６９号公報（特許文献１）に開示されている。ＣＨカードの空き回線を順次検索し、最初に見つかった空き回線を呼に割り当てる従来技術では同一のＣＨカードに連続的に割当てが発生するため、ＣＨカードの処理負荷が増大してしまう問題が存在している。これを解消し、特定のカードの使用頻度が高くなることなく、全ての無線送受信カードがほぼ均等に使用されるようにする技術（無線回線利用方式）を提案している。しかし、リソース割当ての効率に関してはいくつかの欠点が存在する。実装されている各ＣＨカードのリソースをほぼ均等に使用していくため、リソース使用率が高い場合に多くのリソースを使用するサービスが設定できなくなる場合がある。例えば、装置全体としては８リソース残っている場合に８リソース使用するサービスを割り当てる場合がある。実装されているＣＨカードが４枚とし、リソースが均等に使用されるとすると、各ＣＨカードに２リソース毎のみしか空きリソースがないため割当てができなくなる。また、一般的に設計やリソース管理を容易にするため、１枚のＣＨカードに対しては複数のキャリアを割り当てることはあまり行われていない。よって、ここでは１枚のＣＨカードに対しては１キャリアのみ割り当てが可能であるとする。そのため、キャリア数が少ない環境では、ＣＨカードへの負荷が軽減できるため最適なアルゴリズムの１つではあるが、多キャリア化が進んでいる現状では、１枚のＣＨカードで使用できるキャリアが１ユーザ目の設定により決定してしまうため、実装されているＣＨカード枚数が少ない場合など割当て不可能なキャリアが発生してしまう問題点がある。
【０００６】
また、特開２００３−０８７８５４号公報（特許文献２）や特開２００１−２８５４８０号公報（特許文献３）にて開示されているように、ＣＨカード内の使用リソースと空きリソースとを並べ替えるリソース再配置を自律的に行うことによってリソースを有効に活用するアルゴリズムが提案されている。しかし、リソースの再配置を自律で行うため処理負荷が高くユーザ数が少ない状況では最適なアルゴリズムの１つではあるが、多ユーザ数化が進んでいる現状では、処理負荷による呼損が発生してしまう問題点がある。いずれも多キャリア化、多ユーザ化、多サービス化されてきている状況下ではそのまま適用することができない環境が多々発生してきている。
【０００７】
そこで本発明では、無線基地局装置が設置された時に設置状況環境（キャリア数やユーザ数）を測定し、その環境に応じて無線リソース割当てアルゴリズムを選択する機能を提案する。
【０００８】
ＣＰの無線リソース管理は多キャリア化、多サービス化が進むに連れて管理の複雑さが増加し、すべての環境において最適となるような無線リソース割当てアルゴリズムを実現することが困難となってきている。今後ますます、多種多様なサービスが追加されていくことになり、そのたびに新たなアルゴリズムを導入する必要が生じる。
【０００９】
その他、関連する技術として、特開２００５−２７８１１８号公報（特許文献４）に無線基地局装置が開示されている。この無線基地局装置は、複数の無線送受信制御カードを有するベースバンド制御部と、各々の呼に対して前記無線送受信制御カードにリソースを割り当てる呼処理制御部とを有する。前記呼処理制御部が、前記リソースの割り当てを、前記複数の無線送受信制御カードに均等に割り当てる分散型の割り当てから、呼量の増加に応じて、特定の無線送受信制御カードに前記リソースを割り当てる集中型の割り当てに変更制御することを特徴とする。
【００１０】
また、特開２００４−０３２６１０号公報（特許文献５）に無線基地局装置が開示されている。この無線基地局装置は、要求された呼に割り当てられてベースバンド信号処理を行う複数のＣＨカード群を備える。また、この無線基地局装置は、要求された呼にＣＨカードのリソースを割り当てを行うとともに、前記ＣＨカード群の使用状況を調査して設定された呼をその内容に応じて他のＣＨカードに移動させＣＨカード群のリソースを再配置して新規呼用にＣＨカードのリソースを確保するリソース割り当て手段を含み構成されたことを特徴とする。
【００１１】
【特許文献１】特開平９−３３１５６９号公報
【特許文献２】特開２００３−０８７８５４号公報
【特許文献３】特開２００１−２８５４８０号公報
【特許文献４】特開２００５−２７８１１８号公報
【特許文献５】特開２００４−０３２６１０号公報
【発明の開示】
【発明が解決しようとする課題】
【００１２】
本発明の目的は、無線基地局装置が設置された時に設置状況環境（キャリア数やユーザ数）を測定し、その環境に応じて無線リソース割当てアルゴリズムを選択する無線基地局装置を提供することである。
本発明の他の目的は、無線リソース割当てアルゴリズムを単純化することができる無線基地局装置を提供することである。
本発明の更に他の目的は、処理能力を向上させ、不具合の発生頻度を軽減することが可能となる無線基地局装置を提供することである。
本発明の更に他の目的は、サービス追加によって将来の環境が変化した場合においても状況に応じた単純なアルゴリズムを選択対象として追加することで対応することが可能となる無線基地局装置を提供することである。
【課題を解決するための手段】
【００１３】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１４】
本発明の無線基地局装置（１０）は、端末（３０，３１）との無線通信を行うためのベースバンド機能を有する複数の送受信処理カード（１１１）と、設置状況の環境を測定し、前記環境に応じたアルゴリズムを選択し、前記選択されたアルゴリズムに従って前記複数の送受信処理カード（１１１）内から１枚を選択してリソースを割り当てる呼処理制御部（１２）とを具備する。
【００１５】
前記呼処理制御部（１２）は、ユーザ数、キャリア数、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）呼の有無、チャネル種別、キャリアの偏りのうち、少なくとも１つを対象として前記環境を測定する。
【００１６】
前記呼処理制御部（１２）は、前記選択されたアルゴリズムに従って、前記複数の送受信処理カード（１１１）のうち第１の送受信処理カード（ＣＨカード＃１）にリソース割当てを行い、前記第１の送受信処理カード（ＣＨカード＃１）のリソースを使い切った時、前記複数の送受信処理カード（１１１）のうち第２の送受信処理カード（ＣＨカード＃２）にリソース割当てを行う。
【００１７】
前記呼処理制御部（１２）は、前記選択されたアルゴリズムに従って、キャリアの偏り具合によって、使用する送受信処理カードを予め固定し、前記複数の送受信処理カード（１１１）の各々を特定のキャリア専用の送受信処理カードとする。
【００１８】
前記呼処理制御部（１２）は、前記選択されたアルゴリズムに従って、前記複数の送受信処理カード（１１１）のうち第１の送受信処理カード（ＣＨカード＃１）に１ユーザの割当てを行い、前記複数の送受信処理カード（１１１）のうち第２の送受信処理カード（ＣＨカード＃２）に次のユーザの割当てを行う。
【００１９】
本発明の無線リソース割り当て方法は、（ａ１）無線基地局装置（１０）を設置した時、予め設定しておいた初期アルゴリズムにて動作を開始するステップと、（ａ２）前記初期アルゴリズム動作後、前記無線基地局装置（１０）の設置状況の環境を測定するステップと、（ａ３）前記環境を測定した結果に基づきアルゴリズムを選択するステップと、（ａ４）前記無線基地局装置（１０）に割当て済のユーザ数が所定の閾値以下である場合、前記選択されたアルゴリズムを適用するステップと、（ａ５）前記選択されたアルゴリズムに従って複数の送受信処理カード（１１１）内から１枚を選択してリソースを割り当てるステップとを具備する。
【００２０】
前記（ａ２）ステップは、（ａ２１）ユーザ数、キャリア数、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）呼の有無、チャネル種別、キャリアの偏りのうち、少なくとも１つを対象として前記環境を測定するステップを具備する。
【００２１】
前記（ａ３）ステップは、（ａ３１）前記ユーザ数が少なく、前記キャリア数が多い場合は第１のアルゴリズムを選択するステップと、（ａ３２）前記ユーザ数が多く、前記キャリア数も多い場合は第２のアルゴリズムを選択するステップと、（ａ３３）前記ユーザ数、前記キャリア数ともに少ない場合は第３のアルゴリズムを選択するステップと、（ａ３４）前記ユーザ数が多く、前記キャリア数が少ない場合は第４のアルゴリズムを選択するステップとを具備する。
【００２２】
前記（ａ５）ステップは、（ａ５１）前記選択されたアルゴリズムに従って、前記複数の送受信処理カード（１１１）のうち第１の送受信処理カード（ＣＨカード＃１）にリソース割当てを行い、前記第１の送受信処理カード（ＣＨカード＃１）のリソースを使い切った時、前記複数の送受信処理カード（１１１）のうち第２の送受信処理カード（ＣＨカード＃２）にリソース割当てを行うステップを具備する。
【００２３】
前記（ａ５）ステップは、（ａ５２）前記選択されたアルゴリズムに従って、キャリアの偏り具合によって、使用する送受信処理カードを予め固定し、前記複数の送受信処理カード（１１１）の各々を特定のキャリア専用の送受信処理カードとするステップを具備する。
【００２４】
前記（ａ５）ステップは、（ａ５３）前記選択されたアルゴリズムに従って、前記複数の送受信処理カード（１１１）のうち第１の送受信処理カード（ＣＨカード＃１）に１ユーザの割当てを行い、前記複数の送受信処理カード（１１１）のうち第２の送受信処理カード（ＣＨカード＃２）に次のユーザの割当てを行うステップを具備する。
【発明の効果】
【００２５】
本発明を用いることで無線基地局装置が設置された場所の環境（キャリア数やユーザ数）に応じて最適な無線リソース割当てアルゴリズムを選択することが可能となる。また、選択する各アルゴリズムを単純なアルゴリズムにすることができるため、処理能力を向上させることができるとともに、不具合の発生頻度を軽減することが可能となる。
また、サービス追加等によって将来の環境が変化した場合においても状況に応じた単純なアルゴリズムを選択対象として追加することで対応することが可能となるため適応力も高い。
また、環境の変化が予想される場合、予め無線リソース割当てアルゴリズムを変更することも可能である。例として、花火大会やコンサートではユーザ数の増加が予想できる。この場合、ユーザ数が多い場合に最適なアルゴリズムを選択する。
また、アルゴリズム更新時においても割当て済のユーザ数が閾値以下の場合にのみ変更するようにしているため、更新時の処理負荷軽減も抑えることが可能となる。
【発明を実施するための最良の形態】
【００２６】
以下に本発明の第１実施形態について添付図面を参照して説明する。
図１は本発明の無線基地局装置を含む移動体通信システムの構成を示したブロック図である。
この移動体通信システムは、無線基地局装置１０と、基地局制御局２０と、端末３０，３１とを備える。
【００２７】
無線基地局装置１０は、基地局制御局２０により制御され、端末３０，３１との通信を行う基地局又は中継装置である。基地局制御局２０は、無線基地局装置１０を制御する。端末３０，３１は、例えば、携帯電話、ＰＤＡ（Ｐｅｒｓｏｎａｌ  Ｄｉｇｉｔａｌ  Ａｓｓｉｓｔａｎｔｓ）、携帯ゲーム機、その他、無線通信又は無線通話が可能な携帯端末である。また、端末３０，３１はさまざまなレートのサービスに対応できる能力を有し、音声、パケット、ＨＳＤＰＡ等を送受信することができる。図１の構成図では、端末３０は音声サービスを、端末３１はパケットサービスを利用しており、無線基地局装置１０にはさまざまなレートのサービス（呼）が接続されている状態を示している。
【００２８】
なお、無線基地局装置１０は、ベースバンド制御部１１と、呼処理制御部（ＣＰ）１２とを備える。
ベースバンド制御部１１は、ＣＨカード１１１を備えている。ＣＨカード１１１は、複数のＣＨカードの総称である。ここでは、ＣＨカード１１１（１１１−ｉ、ｉ＝１〜Ｎ：Ｎはカード枚数）として、複数のＣＨカード＃１〜＃Ｎを備えている。呼処理制御部（ＣＰ）１２は、ユーザ数やキャリア数などの環境を測定することによって最適なアルゴリズムを選択し、変更する機能を有している。そして、選択されたアルゴリズムに従って複数のＣＨカード１１１内から１枚を選択し、リソースを割り当てることによって、端末３０，３１との無線通信を実現している。
【００２９】
図２〜図５を用いて、本発明の実施例の動作について説明する。
環境の測定としてユーザ数やキャリア数のみではなく、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）呼の有無やチャネル種別、キャリアの偏りも項目として考えられる。
【００３０】
図２（アルゴリズム選択）は、環境測定の項目としてユーザ数とキャリア数のみを測定する場合のアルゴリズム選択の例を示したものである。横軸をユーザ数、縦軸をキャリア数とし、環境測定の結果、当てはまる領域のアルゴリズムを適用するイメージを示している。
【００３１】
まず、キャリア数が多く、ユーザ数が少ない場合について説明する。キャリア数が多いということは１枚のＣＨカードには１キャリアのみ割当てが可能であるので１ユーザ毎に割り当てるＣＨカードを変更していくと、実装されているＣＨカードのキャリア番号がはやく決定されてしまうため割当て不可能なキャリアが発生する可能性がある。例えば、キャリア数が４で実装されているＣＨカードが４枚であった場合を考える。キャリアは１，１，２，３，４の順で設定されると、ＣＨカード＃１にキャリア１を設定、ＣＨカード＃２にキャリア１を設定、ＣＨカード＃３にキャリア２を設定、ＣＨカード＃４にキャリア３を設定する。するとキャリア４を割当て可能なＣＨカードが存在しないため、割り当てることができなくなってしまう。また、ユーザ数が少ないということは１枚のＣＨカードに対して連続的に割当たっても処理負荷となることはなく、同じＣＨカードを使用していく方が割当て効率も高い。よって図３のようなアルゴリズム１を適用する。
【００３２】
図３は、例としてＣＨカードが４枚実装されている場合の割当て例を示したものである。アルゴリズム１はＣＨカード＃１より順番にリソース割当てを行い、ＣＨカード＃１のリソースを使用し切ったら次のＣＨカード＃２に割当てを行っていく。また次はＣＨカード＃３→ＣＨカード＃４と使用していく。但し、キャリアが異なる場合は同じＣＨカードに割り当てることができないので、この時は次のＣＨカードを使用する。このような縦方向から順番にリソースを使用するアルゴリズムが好ましい。
【００３３】
次に、キャリア数が多く、ユーザ数も多い場合について説明する。キャリア数が多いということは１枚のＣＨカードには１キャリアのみ割当てが可能であるので１ユーザ毎に割り当てるＣＨカードを変更していくと、実装されているＣＨカードのキャリアがはやく決定されてしまうため割当て不可能なキャリアが発生する可能性がある。また、ユーザ数が多いということは１枚のＣＨカードに対して連続的に割当てが行われることによって処理負荷となる。しかし、同時にキャリア数が多い環境となっているため、連続して同じキャリアが発生する確率は低いため、１枚のＣＨカードに連続的に割り当てられる可能性も低い。
【００３４】
よってキャリア数が多く、ユーザ数が少ない場合と同様、図３のようなアルゴリズム１を適用する。図３は、例としてＣＨカードが４枚実装されている場合の割当て例を示したものである。アルゴリズム１はＣＨカード＃１より順番にリソース割当てを行い、ＣＨカード＃１のリソースを使用し切ったら次のＣＨカード＃２に割当てを行っていく。また次はＣＨカード＃３→ＣＨカード＃４と使用していく。このような縦方向から順番にリソースを使用するアルゴリズムが好ましい。また、キャリア数が多いのでキャリアの偏りが大きい場合も考えられる。そのため、図４のようなアルゴリズム２を適用するのも可能である。
【００３５】
図４は、例としてＣＨカードが４枚実装されている場合の割当て例を示したものである。アルゴリズム２は、ＣＨカード＃１はキャリア１専用、ＣＨカード＃２はキャリア２専用、ＣＨカード＃３はキャリア３専用、ＣＨカード＃４はキャリア４専用と、キャリアの偏り具合によって予め固定するアルゴリズムとするのもよい。例えば、ＣＨカードが１０枚あり、キャリア１、２，３，４の発生率がそれぞれ１０％，２０％，３０％，４０％であった場合、キャリア１専用ＣＨカードを１枚、キャリア２専用ＣＨカードを２枚、キャリア３専用ＣＨカードを３枚、キャリア４専用ＣＨカードを４枚とするようなアルゴリズムとする。
【００３６】
次に、キャリア数が少なく、ユーザ数も少ない場合について説明する。キャリア数、ユーザ数ともに少ないためリソース割当て効率を重要視して、従来技術（例えば、特開２００３−０８７８５４号公報や特開２００１−２８５４８０号公報）にて開示されているアルゴリズムを適用する。もしくは、キャリア数、ユーザ数ともに少ない場合はどのようなアルゴリズムであっても不都合となるようなケースがまれであると思われるため、アルゴリズムを変更しない。
【００３７】
次に、キャリア数が少なく、ユーザ数が多い場合について説明する。ユーザ数が多いということは１枚のＣＨカードに対して連続的に割当てが行われることによってＣＨカードの処理負荷となる。よって図５のようなアルゴリズム４を適用する。図５は例としてＣＨカードが４枚実装されている場合の割当て例を示したものである。アルゴリズム１はＣＨカード＃１に１ユーザ割当てを行ったら、次のユーザはＣＨカード＃２に割当てを行う。その次のユーザはＣＨカード＃３に割当てを行うというように横方向から順番にリソースを使用するアルゴリズムが好ましい。ここで示したアルゴリズム選択は一例であり、環境測定の項目が違えばアルゴリズムは異なる。
【００３８】
本発明の実施例の動作について図６のフローチャートを用いて説明する。
（１）ステップＳ１０１
まず、無線基地局装置を設置した時、予め設定しておいた初期アルゴリズムにて動作を開始する。例えば、図２でのアルゴリズム３などを初期アルゴリズムとして使用する。
（２）ステップＳ１０２
アルゴリズム動作後、ユーザ数やキャリア数の環境を測定する。
（３）ステップＳ１０３
測定した環境結果をもとにアルゴリズムを選択する。例えば、環境測定としてユーザ数とキャリア数を対象とし、図２のようなアルゴリズムが選択対象としてある場合、ユーザ数が少なく、キャリア数が多い場合は図２のアルゴリズム１を選択する。ユーザ数が多く、キャリア数も多い場合は図２のアルゴリズム２を選択する。ユーザ数、キャリア数ともに少ない場合は図２のアルゴリズム３を選択する。ユーザ数が多く、キャリア数が少ない場合は図２のアルゴリズム４を選択する。このように環境測定結果をもとに適用するアルゴリズムを選択する。
（４）ステップＳ１０４
ここで選択されたアルゴリズムが必ず適用されるのではなく、既に無線基地局装置に割当て済のユーザ数がある閾値以下である場合のみ選択されたアルゴリズムを適用する。
（５）ステップＳ１０５
割当て済のユーザ数が閾値よりも大きい場合は、既に多くのユーザが割り当てられている可能性が高くアルゴリズム変更による処理負荷による悪影響が発生する可能性があり、このような状況にてアルゴリズムを変更するのは好ましくない。
（６）ステップＳ１０６
割当て済のユーザ数が閾値よりも小さい場合は、アルゴリズム変更によって処理負荷となる可能性が低いため、より好ましいアルゴリズムへの変更を行う。
【００３９】
更に、次の測定周期（２回目）が来た時に、この２回目の環境測定区間において得られた環境結果をもとにアルゴリズムを選択する。このように測定周期毎に最適となるアルゴリズムを選択していき、閾値よりも割当て済のユーザが少ない場合にアルゴリズムの変更を行うフローとなっている。
【００４０】
次に本発明の実施例の動作について図７を用いて説明する。
この図７では測定周期を１時間とした例を示している。図６のフローチャートに従って動作した場合の時間軸上でのアルゴリズム変更経緯を示したものである。また、ここでのアルゴリズムＡ〜Ｅはそれぞれ時点Ａ〜Ｆにおいて選択されたアルゴリズムを意味しており、例えば、選択対象とあるアルゴリズムが図２のアルゴリズム１〜４であった場合、測定した結果（ユーザ数やキャリア数）によっていずれかのアルゴリズムが適用されるイメージである。まず、時点Ａにおいては初期アルゴリズム（アルゴリズムＡ）によって割当てが行われる。よって測定周期（時間０〜１の区間）ではアルゴリズムＡにてリソース割当てを行う。
【００４１】
次に時点Ｂにおいて、測定周期（時間０〜１の区間）にて測定した環境結果に応じてアルゴリズムＢを選択する。時点Ｂにおいては割当て済のユーザ数が閾値よりも少ないため、このアルゴリズムＢを適用する。よって次の測定周期（時間１〜２の区間）はアルゴリズムＢにてリソース割当てを行う。
【００４２】
次に時点Ｃにおいて、測定周期（時間１〜２の区間）にて測定した環境結果に応じてアルゴリズムＣを選択する。しかし、時点Ｃにおいては割当て済のユーザ数が閾値よりも多いため、このアルゴリズムＣは適用されない。よって次の測定周期（時間２〜３の区間）はアルゴリズムＢにてリソース割当てを行う。
【００４３】
次に時点Ｄにおいて、測定周期（時間２〜３の区間）にて測定した環境結果に応じてアルゴリズムＤを選択する。しかし、時点Ｄにおいては割当て済のユーザ数が閾値よりも多いため、このアルゴリズムＤは適用されない。よって次の測定周期（時間３〜４の区間）はアルゴリズムＢにてリソース割当てを行う。
【００４４】
次に時点Ｅにおいて、測定周期（時間３〜４の区間）にて測定した環境結果に応じてアルゴリズムＥを選択する。時点Ｅにおいては割当て済のユーザ数が閾値よりも少ないため、このアルゴリズムＥを適用する。よって次の測定周期はアルゴリズムＥにてリソース割当てを行う。
【００４５】
本発明を用いることで無線基地局装置が設置された場所の環境（キャリア数やユーザ数）に応じて最適な無線リソース割当てアルゴリズムを選択することが可能となる。また、選択する各アルゴリズムを単純なアルゴリズムにすることができるため、処理能力を向上させることができるとともに、不具合の発生頻度を軽減することが可能となる。また、アルゴリズム更新時においても割当て済のユーザ数が閾値以下の場合にのみ変更するようにしているため、更新時の処理負荷軽減も抑えることが可能となる。
【図面の簡単な説明】
【００４６】
【図１】図１は、本発明の無線基地局装置を含む移動体通信システムを示すブロック図である。
【図２】図２は、リソース割当てアルゴリズム選択方法の一例を説明するための説明図である。
【図３】図３は、リソース割当てアルゴリズムの一例を説明するための説明図である。
【図４】図４は、リソース割当てアルゴリズムの一例を説明するための説明図である。
【図５】図５は、リソース割当てアルゴリズムの一例を説明するための説明図である。
【図６】図６は、無線基地局装置の動作を説明するためのフローチャートである。
【図７】図７は、無線基地局装置の動作の時間経過を説明するための説明図である。
【符号の説明】
【００４７】
１０…  無線基地局装置
１１…  ベースバンド制御部
１１１…  ＣＨカード（ベースバンド信号送受信処理カード）
１２…  呼処理制御部（ＣＰ）
２０…  基地局制御局
３０，３１…  端末（携帯端末）
【図１】
2008118521.tif 000003
【図２】
2008118521.tif 000004
【図３】
2008118521.tif 000005
【図４】
2008118521.tif 000006
【図５】
2008118521.tif 000007
【図６】
2008118521.tif 000008
【図７】
2008118521.tif 000009